【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
通常、熱分解感受性のポリマー組成物であって、該組成物はハロゲン含有ポリマー、高温での該組成物の加工の間に存在するブロックされたメルカプタンの分解生成物であって、遊離メルカプタンを含む該分解生成物；
構造：
【化１】
2002129040.tif 000001
〔式中、ａは０または１であり、ｍおよびｎは０または１であり；ｙ＝１〜４であり；ｙ＝１ならばｚは１〜４であり；ｙが１より大きいならば、ｚは１であり；Ｒ１は１〜２２個の炭素原子を有するアルキル、アルキレニル、シクロアルキル、シクロアルキレニル、アリール、アルカリール、アルアルキル、アルアルキレニル、ヒドロキシアルキル、ジヒドロキシアルキル、ヒドロキシ（ポリアルコキシ）アルキル、アルコキシアルキル、ヒドロキシアルコキシアルキル、アルコキシ（ヒドロキシアルキル）、アルコキシ（アシルオキシアルキル）、アルコキシ（ポリアルコキシ）アルキル、アルコキシ（ポリアルコキシ）カルボニルアルキル、カルボキシアルキル、アシルオキシアルキル、アシルオキシ（ヒドロキシアルキル）、アシルオキシアルコキシアルキル、アシルオキシ（ポリアルコキシ）アルキル、ベンゾイルオキシ（ポリアルコキシ）アルキル、アルキレンビス−（アシルオキシアルキル）、アルコキシカルボニルアルキル、アルコキシカルボニルアルキレニル、ヒドロキシアルコキシカルボニルアルキル、ヒドロキシ（ポリアルコキシ）カルボニルアルキル、メルカプトアルキル、メルカプトアルキレニル、メルカプトアルコキシカルボニルアルキル、メルカプトアルコキシカルボニルアルキレニル、アルコキシカルボニル（アミド）アルキル、アルキルカルボニルオキシ（ポリアルコキシ）カルボニルアルキル、テトラヒドロピラニルオキシ（ポリアルコキシ）カルボニルアルキル、テトラヒドロピラニルオキシアルキル、ヒドロキシアリール、メルカプトアリールまたはカルボキシアリール基であり；Ｒ２、Ｒ３、Ｒ４、Ｒ５、Ｒ６、およびＲ７は独立して、水素、ヒドロキシル、メルカプト、１〜２２個の炭素原子を有するアシル、アルキル、アルキレニル、アリール、ハロアリール、アルカリール、アルアルキル、ヒドロキシアルキル、メルカプトアルキル、ヒドロキシアリール、アルコキシアリール、アルコキシヒドロキシアリール、メルカプトアリール基であり；Ｘはアリール、ハロアリール、アルカリール、ヒドロキシアリール、ジヒドロキシアリール、アルコキシアリール、アリールシクロアルキル、またはヘテロ原子であり、また、ａが１であり、ｍが１であるならば、Ｒ６およびＲ７は窒素であるＸと一緒になった複素環部分を形成し、さらにａ＝１であり、ｍ＝０であるならば、Ｒ１、Ｒ３およびＲ５のうちの一つはＲ７およびＸと一緒になってＸが酸素および硫黄からなる群から選択されるヘテロ原子である複素環部分を形成し；ただし、Ｘがアルアルカリールであり、Ｒ６およびＲ７がヒドロキシルであり、ａが１であり、ｍが１である場合、ｚは１または２であり、またＲ６がヒドロキシルまたはメルカプトでない場合、ｚは１である〕を有する該ブロックされたメルカプタン；
塩化亜鉛とカルボン酸亜鉛の混合物をポリマーの重量に基づいて約０．００５〜約２ｐｈｒ；および
エポキシ化合物および有機ホスファイトからなる群から選択される少なくとも一つの補助安定剤をポリマーの重量に基づいて０〜約１０ｐｈｒ
含む、前記、熱分解感受性のポリマー組成物。
【請求項２】
ブロックされたメルカプタンの量がポリマーの約０．０５ｐｈｒから約４ｐｈｒ（重量）である請求項１記載の組成物。
【請求項３】
混合物中のカルボン酸亜鉛と塩化亜鉛の量が、亜鉛イオン換算で、亜鉛の全量のそれぞれ約１５％から約７０％および約３０％から約８５％である請求項１記載の組成物。
【請求項４】
補助安定剤の量が０である請求項１記載の組成物。
【請求項５】
Ｒ１がアシルオキシアルキル基である請求項１記載の組成物。
【請求項６】
Ｒ１がヒドロキシアルキル基である請求項１記載の組成物。
【請求項７】
Ｒ１がアルコキシカルボニルアルキルである請求項１記載の組成物。
【請求項８】
構造：
【化２】
2002129040.tif 000002
〔式中、ａは０または１であり、ｍおよびｎは０または１であり；ｙ＝１〜４であり；ｙ＝１ならばｚは１〜４であり；ｙが１より大きいならば、ｚは１であり；Ｒ１は１〜２２個の炭素原子を有するアルキル、アルキレニル、シクロアルキル、シクロアルキレニル、アリール、アルカリール、アルアルキル、アルアルキレニル、ヒドロキシアルキル、ジヒドロキシアルキル、ヒドロキシ（ポリアルコキシ）アルキル、アルコキシアルキル、ヒドロキシアルコキシアルキル、アルコキシ（ヒドロキシアルキル）、アルコキシ（アシルオキシアルキル）、アルコキシ（ポリアルコキシ）アルキル、アルコキシ（ポリアルコキシ）カルボニルアルキル、カルボキシアルキル、アシルオキシアルキル、アシルオキシ（ヒドロキシアルキル）、アシルオキシアルコキシアルキル、アシルオキシ（ポリアルコキシ）アルキル、ベンゾイルオキシ（ポリアルコキシ）アルキル、アルキレンビス−（アシルオキシアルキル）、アルコキシカルボニルアルキル、アルコキシカルボニルアルキレニル、ヒドロキシアルコキシカルボニルアルキル、ヒドロキシ（ポリアルコキシ）カルボニルアルキル、メルカプトアルキル、メルカプトアルキレニル、メルカプトアルコキシカルボニルアルキル、メルカプトアルコキシカルボニルアルキレニル、アルコキシカルボニル（アミド）アルキル、アルキルカルボニルオキシ（ポリアルコキシ）カルボニルアルキル、テトラヒドロピラニルオキシ（ポリアルコキシ）カルボニルアルキル、テトラヒドロピラニルオキシアルキル、ヒドロキシアリール、メルカプトアリールまたはカルボキシアリール基であり；Ｒ２、Ｒ３、Ｒ４、Ｒ５、Ｒ６、およびＲ７は独立して、水素、ヒドロキシル、メルカプト、１〜２２個の炭素原子を有するアシル、アルキル、アルキレニル、アリール、ハロアリール、アルカリール、アルアルキル、ヒドロキシアルキル、メルカプトアルキル、ヒドロキシアリール、アルコキシアリール、アルコキシヒドロキシアリール、メルカプトアリール基であり；Ｘはアリール、ハロアリール、アルカリール、ヒドロキシアリール、ジヒドロキシアリール、アルコキシアリール、アリールシクロアルキル、またはヘテロ原子であり、また、ａが１であり、ｍが１であるならば、Ｒ６およびＲ７は窒素であるＸと一緒になって複素環部分を形成し、さらにａ＝１であり、ｍ＝０であるならば、Ｒ１、Ｒ３およびＲ５のうちの一つはＲ７およびＸと一緒になってＸが酸素および硫黄からなる群から選択されるヘテロ原子である複素環部分を形成し；ただし、Ｘがアルアルカリールであり、Ｒ６およびＲ７がヒドロキシルであり、ａが１であり、ｍが１である場合、ｚは１または２であり、さらにＲ６がヒドロキシルまたはメルカプトでない場合、ｚは１である〕を有する潜在性メルカプタン；ならびに
塩化亜鉛およびカルボン酸亜鉛の混合物
を含む、安定剤組成物であって、ただし、エポキシ化合物および有機ホスファイトからなる群から選択される補助安定剤の有無は問わない、前記安定剤組成物。
【請求項９】
潜在性メルカプタンが全重量の約２５重量％から約９９．５重量％である請求項８記載の安定剤組成物。
【請求項１０】
カルボン酸亜鉛と塩化亜鉛の混合物を約０．５重量％から約７５重量％含む請求項９記載の安定剤組成物。
【請求項１１】
カルボン酸亜鉛と塩化亜鉛混合物が亜鉛イオン換算で、約１５％から約７０％のカルボン酸塩および約３０％から約８５％の塩化物を含む請求項８記載の安定剤組成物。
【請求項１２】
前記補助安定剤を含まない請求項８記載の安定剤組成物。
【手続補正２】
【補正対象書類名】明細書
【補正対象項目名】００９１
【補正方法】変更
【補正の内容】
【００９１】
本発明は以下の態様を包含する：
（１）  通常、熱分解感受性のポリマー組成物であって、該組成物はハロゲン含有ポリマー、高温での該組成物の加工の間に存在するブロックされたメルカプタンの分解生成物であって、遊離メルカプタンを含む該分解生成物；
構造：
【化３】
2002129040.tif 000003
〔式中、ａは０または１であり、ｍおよびｎは０または１であり；ｙ＝１〜４であり；ｙ＝１ならばｚは１〜４であり；ｙが１より大きいならば、ｚは１であり；Ｒ１は１〜２２個の炭素原子を有するアルキル、アルキレニル、シクロアルキル、シクロアルキレニル、アリール、アルカリール、アルアルキル、アルアルキレニル、ヒドロキシアルキル、ジヒドロキシアルキル、ヒドロキシ（ポリアルコキシ）アルキル、アルコキシアルキル、ヒドロキシアルコキシアルキル、アルコキシ（ヒドロキシアルキル）、アルコキシ（アシルオキシアルキル）、アルコキシ（ポリアルコキシ）アルキル、アルコキシ（ポリアルコキシ）カルボニルアルキル、カルボキシアルキル、アシルオキシアルキル、アシルオキシ（ヒドロキシアルキル）、アシルオキシアルコキシアルキル、アシルオキシ（ポリアルコキシ）アルキル、ベンゾイルオキシ（ポリアルコキシ）アルキル、アルキレンビス−（アシルオキシアルキル）、アルコキシカルボニルアルキル、アルコキシカルボニルアルキレニル、ヒドロキシアルコキシカルボニルアルキル、ヒドロキシ（ポリアルコキシ）カルボニルアルキル、メルカプトアルキル、メルカプトアルキレニル、メルカプトアルコキシカルボニルアルキル、メルカプトアルコキシカルボニルアルキレニル、アルコキシカルボニル（アミド）アルキル、アルキルカルボニルオキシ（ポリアルコキシ）カルボニルアルキル、テトラヒドロピラニルオキシ（ポリアルコキシ）カルボニルアルキル、テトラヒドロピラニルオキシアルキル、ヒドロキシアリール、メルカプトアリールまたはカルボキシアリール基であり；Ｒ２、Ｒ３、Ｒ４、Ｒ５、Ｒ６、およびＲ７は独立して、水素、ヒドロキシル、メルカプト、１〜２２個の炭素原子を有するアシル、アルキル、アルキレニル、アリール、ハロアリール、アルカリール、アルアルキル、ヒドロキシアルキル、メルカプトアルキル、ヒドロキシアリール、アルコキシアリール、アルコキシヒドロキシアリール、メルカプトアリール基であり；Ｘはアリール、ハロアリール、アルカリール、ヒドロキシアリール、ジヒドロキシアリール、アルコキシアリール、アリールシクロアルキル、またはヘテロ原子であり、また、ａが１であり、ｍが１であるならば、Ｒ６およびＲ７は窒素であるＸと一緒になった複素環部分を形成し、さらにａ＝１であり、ｍ＝０であるならば、Ｒ１、Ｒ３およびＲ５のうちの一つはＲ７およびＸと一緒になってＸが酸素および硫黄からなる群から選択されるヘテロ原子である複素環部分を形成し；ただし、Ｘがアルアルカリールであり、Ｒ６およびＲ７がヒドロキシルであり、ａが１であり、ｍが１である場合、ｚは１または２であり、またＲ６がヒドロキシルまたはメルカプトでない場合、ｚは１である〕を有する該ブロックされたメルカプタン；
塩化亜鉛とカルボン酸亜鉛の混合物をポリマーの重量に基づいて約０．００５〜約２ｐｈｒ；および
エポキシ化合物および有機ホスファイトからなる群から選択される少なくとも一つの補助安定剤をポリマーの重量に基づいて約０〜約１０ｐｈｒ
含む、前記、熱分解感受性のポリマー組成物。
（２）  ブロックされたメルカプタンの量がポリマーの約０．０５ｐｈｒから約４ｐｈｒ（重量）である前記（１）記載の組成物。
（３）  ブロックされたメルカプタンの量が約０．１ｐｈｒから約３ｐｈｒである前記（２）記載の組成物。
（４）  混合物中のカルボン酸亜鉛と塩化亜鉛の量が、亜鉛イオン換算で、亜鉛の全量のそれぞれ約１５％から約７０％および約３０％から約８５％である前記（１）記載の組成物。
（５）  塩化亜鉛／カルボン酸亜鉛混合物の量が約０．００５ｐｈｒから約１．０ｐｈｒである前記（１）記載の組成物。
（６）  補助安定剤の量が０である前記（１）記載の組成物。
（７）  塩化亜鉛／カルボン酸亜鉛混合物の量が約０．００５ｐｈｒから約０．５ｐｈｒである前記（１）記載の組成物。
（８）  量が約０．０８ｐｈｒから約０．２ｐｈｒである前記（７）記載の組成物。
（９）  Ｒ１がアシルオキシアルキル基である前記（１）記載の組成物。
（１０）  Ｒ１がヒドロキシアルキル基である前記（１）記載の組成物。
（１１）  Ｒ１がアルコキシカルボニルアルキルである前記（１）記載の組成物。
（１２）  Ｒ１がアシルオキシアルキル基である前記（６）記載の組成物。
（１３）  Ｒ１がヒドロキシアルキル基である前記（６）記載の組成物。
（１４）  Ｒ１がアルコキシカルボニルアルキル基である前記（６）記載の組成物。
（１５）  混合物中のカルボン酸亜鉛と塩化亜鉛の量が、亜鉛イオン換算で、亜鉛の全量のそれぞれ約１５％から約７０％および約３０％から約８５％である前記（１２）記載の組成物。
（１６）  塩化亜鉛／カルボン酸亜鉛混合物の量が約０．００５ｐｈｒから約１．０ｐｈｒである前記（１５）記載の組成物。
（１７）  混合物中のカルボン酸亜鉛と塩化亜鉛の量が、亜鉛イオン換算で、亜鉛の全量のそれぞれ約１５％から約７０％および約３０％から約８５％である前記（１４）記載の組成物。
（１８）  塩化亜鉛／カルボン酸亜鉛混合物の量が約０．００５から約１．０ｐｈｒである前記（１７）記載の組成物。
（１９）  構造：
【化４】
2002129040.tif 000004
〔式中、ａは０または１であり、ｍおよびｎは０または１であり；ｙ＝１〜４であり；ｙ＝１ならばｚは１〜４であり；ｙが１より大きいならば、ｚは１であり；Ｒ１は１〜２２個の炭素原子を有するアルキル、アルキレニル、シクロアルキル、シクロアルキレニル、アリール、アルカリール、アルアルキル、アルアルキレニル、ヒドロキシアルキル、ジヒドロキシアルキル、ヒドロキシ（ポリアルコキシ）アルキル、アルコキシアルキル、ヒドロキシアルコキシアルキル、アルコキシ（ヒドロキシアルキル）、アルコキシ（アシルオキシアルキル）、アルコキシ（ポリアルコキシ）アルキル、アルコキシ（ポリアルコキシ）カルボニルアルキル、カルボキシアルキル、アシルオキシアルキル、アシルオキシ（ヒドロキシアルキル）、アシルオキシアルコキシアルキル、アシルオキシ（ポリアルコキシ）アルキル、ベンゾイルオキシ（ポリアルコキシ）アルキル、アルキレンビス−（アシルオキシアルキル）、アルコキシカルボニルアルキル、アルコキシカルボニルアルキレニル、ヒドロキシアルコキシカルボニルアルキル、ヒドロキシ（ポリアルコキシ）カルボニルアルキル、メルカプトアルキル、メルカプトアルキレニル、メルカプトアルコキシカルボニルアルキル、メルカプトアルコキシカルボニルアルキレニル、アルコキシカルボニル（アミド）アルキル、アルキルカルボニルオキシ（ポリアルコキシ）カルボニルアルキル、テトラヒドロピラニルオキシ（ポリアルコキシ）カルボニルアルキル、テトラヒドロピラニルオキシアルキル、ヒドロキシアリール、メルカプトアリールまたはカルボキシアリール基であり；Ｒ２、Ｒ３、Ｒ４、Ｒ５、Ｒ６、およびＲ７は独立して、水素、ヒドロキシル、メルカプト、１〜２２個の炭素原子を有するアシル、アルキル、アルキレニル、アリール、ハロアリール、アルカリール、アルアルキル、ヒドロキシアルキル、メルカプトアルキル、ヒドロキシアリール、アルコキシアリール、アルコキシヒドロキシアリール、メルカプトアリール基であり；Ｘはアリール、ハロアリール、アルカリール、ヒドロキシアリール、ジヒドロキシアリール、アルコキシアリール、アリールシクロアルキル、またはヘテロ原子であり、また、ａが１であり、ｍが１であるならば、Ｒ６およびＲ７は窒素であるＸと一緒になって複素環部分を形成し、さらにａ＝１であり、ｍ＝０であるならば、Ｒ１、Ｒ３およびＲ５のうちの一つはＲ７およびＸと一緒になってＸが酸素および硫黄からなる群から選択されるヘテロ原子である複素環部分を形成し；ただし、Ｘがアルアルカリールであり、Ｒ６およびＲ７がヒドロキシルであり、ａが１であり、ｍが１である場合、ｚは１または２であり、さらにＲ６がヒドロキシルまたはメルカプトでない場合、ｚは１である〕を有する潜在性メルカプタン；ならびに
塩化亜鉛およびカルボン酸亜鉛の混合物
を含む、安定剤組成物であって、ただし、エポキシ化合物および有機ホスファイトからなる群から選択される補助安定剤の有無は問わない、前記安定剤組成物。
（２０）  潜在性メルカプタンが全重量の約２５重量％から約９９．５重量％である前記（１９）記載の安定剤組成物。
（２１）  カルボン酸亜鉛と塩化亜鉛の混合物を約０．５重量％から約７５重量％含む前記（２０）記載の安定剤組成物。
（２２）  カルボン酸亜鉛と塩化亜鉛混合物が亜鉛イオン換算で、約１５％から約７０％のカルボン酸塩および約３０％から約８５％の塩化物を含む前記（１９）記載の安定剤組成物。
（２３）  カルボン酸亜鉛と塩化亜鉛混合物が亜鉛イオン換算で、約３５％から約６０％のカルボン酸塩および約４０％から約６５％の塩化物を含む前記（１９）記載の安定剤組成物。
（２４）  前記補助安定剤を含まない前記（１９）記載の安定剤組成物。
（２５）  カルボン酸亜鉛と塩化亜鉛の混合物を約０．５重量％から約７５重量％含む前記（１９）記載の安定剤組成物。
（２６）  潜在性メルカプタンが全重量の約２５％から約９９．５重量％である前記（２３）記載の安定剤組成物。
（２７）  潜在性メルカプタンが全重量の約２５％から約９９．５重量％である前記（２４）記載の安定剤組成物。
（２８）  潜在性メルカプタンが全重量の約２５％から約９９．５重量％である前記（２５）記載の安定剤組成物。
（２９）  カルボン酸亜鉛と塩化亜鉛混合物が亜鉛イオン換算で、約１５重量％から約７０重量％のカルボン酸塩および約３０重量％から約８５重量％の塩化物を含む前記（２１）記載の安定剤組成物。
（３０）  カルボン酸亜鉛と塩化亜鉛混合物が亜鉛イオン換算で、約３５重量％から約６０重量％のカルボン酸塩および約４０重量％から約６５重量％の塩化物を含む前記（２１）記載の安定剤組成物。
（３１）  カルボン酸亜鉛と塩化亜鉛混合物が亜鉛イオン換算で、約１５重量％から約７０重量％のカルボン酸塩および約３０重量％から約８５重量％の塩化物を含む前記（２４）記載の安定剤組成物。
（３２）  カルボン酸亜鉛と塩化亜鉛混合物が亜鉛イオン換算で、約３５重量％から約６０重量％のカルボン酸塩および約４０重量％から約６５重量％の塩化物を含む前記（２４）記載の安定剤組成物。
（３３）  潜在性メルカプタンが全重量の約２５％から約９９．５％である前記（３１）記載の安定剤組成物。
（３４）  潜在性メルカプタンが全重量の約２５％から約９９．５％である前記（３２）記載の安定剤組成物。
以下の実施例は、本発明のブロックされたメルカプタンの調製法、本発明の安定剤組成物の調製法、ならびに前記ブロックされたメルカプタンおよび安定剤組成物の利点をさらに説明する。